(57)【要約】      （修正有）【課題】空気調和機の室外機の電磁接触器の接点部を砂や埃などの塵埃から保護する電磁接触器を提供する。【解決手段】電装品箱の中に電磁接触器を有し、電磁接触器は電磁石部と接点部とこれらを囲むフレームとを備え、フレームには接点部に向けて固定接点を備えた端子金具５５を挿通するための接点用孔５６が設けられた空気調和機の室外機において、端子金具５５には、電源線を接続するための端子接続金具６が接続され、端子接続金具６は端子金具５５に接続する端子接続部６２と、端子接続部６２の先端に設けられ端子接続金具６を端子金具５５に接続した時に接点用孔５６を覆う遮蔽部６４を備える。【選択図】図４
2015172457.tif 000002
【特許請求の範囲】
【請求項１】
電装品箱の中に電磁接触器を有し、前記電磁接触器は電磁石部と接点部とこれらを囲むフレームとを備え、前記フレームには前記接点部に向けて固定接点を備えた端子金具を挿通するための接点用孔が設けられた空気調和機の室外機において、
前記端子金具には、電源線を接続するための端子接続金具が接続され、前記端子接続金具は前記端子金具に接続する端子接続部と、前記端子接続部の先端に設けられ前記端子接続金具を前記端子金具に接続した時に前記接点用孔を覆う遮蔽部を備えたことを特徴とする空気調和機の室外機。
【請求項２】
前記遮蔽部は、前記端子接続部の先端から前記端子金具から離れる方向に折り曲げられるとともに前記フレームの前記接点用孔が設けられた面に当接するように形成されたことを特徴とする請求項１に記載の空気調和機の室外機。
【発明の詳細な説明】
【技術分野】
【０００１】
本発明は、空気調和機の室外機の電磁接触器の構造に関する。
【背景技術】
【０００２】
空気調和機の室外機には、電流が流れると電源回路を導通させる所謂パワーリレーの役割をする電磁接触器を電気部品取付板に固定したものがある。（特許文献１参照）。
【先行技術文献】
【特許文献】
【０００３】
【特許文献１】実開平５−３６２１８号公報
【発明の概要】
【発明が解決しようとする課題】
【０００４】
空気調和機の室外機は屋外に設置されている。そのため砂埃が室外機の内部に侵入する虞があり、電磁接触器を使用する際に電磁接触器の接点に砂や埃などの塵埃が挟まり接点の不良を引き起こす可能性があった。そこで電磁接触器に防塵用の樹脂カバーをつけて対策しているものもあった。
【０００５】
本発明は以上述べた問題点を解決し、コストを掛けずに電磁接触器の接点を塵埃から保護する構造を備えた空気調和機の室外機を提供することを目的とする。
【課題を解決するための手段】
【０００６】
上述した課題を解決するために本発明は、電装品箱の中に電磁接触器を有し、前記電磁接触器は電磁石部と接点部とこれらを囲むフレームとを備え、前記フレームには前記接点部に向けて固定接点を備えた端子金具を挿通するための接点用孔が設けられた空気調和機の室外機において、前記端子金具には、電源線を接続するための端子接続金具が接続され、前記端子接続金具は前記端子金具に接続する端子接続部と、前記端子接続部の先端に設けられ前記端子接続金具を前記端子金具に接続した時に前記接点用孔を覆う遮蔽部を備えたことを特徴とする。
【０００７】
また、前記遮蔽部は、前記端子接続部の先端から前記端子金具から離れる方向に折り曲げられるとともに前記フレームの前記接点用孔が設けられた面に当接するように形成されたことも含まれる。
【発明の効果】
【０００８】
上記のように構成した本発明の空気調和機の室外機は、電磁接触器の接点用孔を、端子接続金具の先端に設けた遮蔽部で覆うことで、コストを掛けずに電磁接触器の接点を塵埃から保護することが可能となる。
【図面の簡単な説明】
【０００９】
【図１】本発明による空気調和機の室外機の正面図である。
【図２】本発明による空気調和機の室外機の電装品箱の正面図である。
【図３】図２に示す電磁接触器のＡ−Ａ断面図である。
【図４】本発明の実施例の電磁接触器の説明図で（ａ）は電磁接触器単体の図で、（ｂ）は端子接続金具の図で（ｃ）は端子接続金具を電磁接触器に接続した図である。
【図５】他の実施例の電磁接触器の説明図で（ａ）は端子接続金具の図で（ｂ）は端子接続金具を電磁接触器に接続した図である。
【発明を実施するための形態】
【００１０】
以下、本発明を実施するための形態を、添付図面に基づいた実施例として詳細に説明する。
【実施例１】
【００１１】
本発明に係る空気調和機の室外機１は屋外に設置され、空調室内に設置される少なくとも1台以上の室内機と冷媒配管を介して接続されて冷凍サイクルを構成する。
【００１２】
室外機１は図１に示すように直方体の筐体１０を備える。この筐体１０の外郭は地面やベランダなどに設置するための脚部１１を備えた底板１２と、底板１２に垂直に立設される前面パネル１３と、図１において前面パネル１３の右側に並んで立設されるメンテナンスパネル１４と、メンテナンスパネル１４の端から背面にかけて後述する機械室３を覆うように立設される背面パネル１５と、天井面を覆うように取り付けられる天板１６とからなる。
【００１３】
尚、図１において前面パネル１３のある面を前面とし、前面の対面を背面とし、メンテナンスパネル１４のある側面を右側面とし、その対面を左側面とし、天板１６のある面を上面とし、底板１２のある面を底面として以下説明する。
【００１４】
筐体１０の内部は、底板１１に筐体１０の内部を左右に区切る仕切板１７が立設され、この仕切板１７により熱交換器室２と機械室３とに区画されている。
熱交換器室２には底板１２の背面側から左側面側にＬ字状の熱交換器２２が立設され、熱交換器２２の前面側に図示しないモータに軸支された送風ファン２１が設けられている。送風ファン２１に対向する前面パネル１３は開口され吹出口１８となる。
機械室３には底板１１に圧縮機３１が立設され、その上にアキュムレータ３２と冷媒配管３３とが配置され、さらに上部の前面側に電装品箱４１が設けられている。
【００１５】
以上の構成により、送風ファン２１がモータによって駆動され、送風ファン２１を駆動することにより、熱交換器２２に吸い込こまれて冷媒と熱交換された空気が前面パネル１３の吹出口１８から筐体外に排気されるようになっている。
【００１６】
電装品箱４１は、前面側が開口された板金製の箱状で、左右の縁が前面パネル１３と背面パネル１５のフランジ１３ａ、１５ａに固定されている。図２に示すように電装品箱４１には、制御基板４２や端子台４３やキャパシタ４４等の室外機１を制御する電装部品４が取り付けられている。
【００１７】
電装部品４の中には、電流が流れると電源回路を導通させる電磁接触器５を有し、電磁接触器５は図３に示すようにコイル５１ａと鉄芯５１ｂを備えた電磁石部５１と接点部５２とこれらを囲むフレーム５３とを備える。
【００１８】
接点部５２には中央に鉄芯５１ｂと連結されたリセットボタン５４がある。リセットボタン５４を中心として上下対称の位置に第１接点部５２ａと第２接点部５２ｂとがある。
【００１９】
この電磁接触器５は三相用であり、三相用の電磁接触器５を単相用として使用するために端子接続金具６を介して電源線７が接続する。図２に示すように外部から引き込んだ電源線７が端子接続金具６を介して第２接点部５２ｂに接続され、第１接点部５２ａから端子接続金具６を介して電源線７で端子台４３に接続される。
尚、電磁接触器５は単相用でもよく、その場合にも端子接続金具６を介して接続する。
【００２０】
図３と図４（ａ）に示すように第１接点部５２ａと第２接点部５２ｂにはそれぞれ板状の端子金具５５が並列に３か所設けられている。端子金具５５は固定接点５５ａを備える。
またフレーム５３はそれぞれの端子金具５５を仕切り、個々の端子金具５５を保護する仕切板５３ａを備える。
それぞれの端子金具５５は固定接点５５ａをフレーム５３に設けられた接点用孔５６に挿通して接点部５２の内部に挿入する。
また、リセットボタン５４には接点部５２の内部で固定接点５５ａに対向した位置に可動接点５７ａを２か所設けた可動端子金具５７が取り付けられている。
【００２１】
運転停止時には、固定接点５５ａと可動接点５７ａは開かれている。そこに運転を開始し電流が流れ込むと可動端子金具５７が鉄芯５１ｂに引っ張られて固定接点５５ａと可動接点５７ａが閉じられて電源回路が導通させる。
リセットボタン５４は通電チェックに使われる。
【００２２】
端子接続金具６は図４（ｂ）に示すように板厚約３ｍｍの板金を加工したものであり、一端に電源線７を接続する第１ネジ孔６１を備える。他端には電磁接触器５の端子金具５５に接続するために三つに分かれた端子接続部６２がある。それぞれの端子接続部６２には端子金具５５に端子ネジ８１で接続する第２ネジ孔６３を備える。
【００２３】
そして、端子接続部６２の先端に接点用孔５６を覆う遮蔽部６４を備える。遮蔽部６４は、端子接続金具６を端子金具５５に接続した時に、端子接続部６２の先端から端子金具５５から離れる方向に折り曲がりフレーム５３の接点用孔５６が設けられた面５３ｂに当接ように形成される。
端子接続金具６と端子金具５５の第２ネジ孔６３を端子ネジ８１で螺着することで、図４（ｃ）に示すように遮蔽部６４が接点用孔５６を覆うことになる。接点用孔５６は仕切板５３ａで左右が塞がれ、遮蔽部６４で覆われることで別部品である防塵用の樹脂カバーを必要とせず、電磁接触器５の内部に砂や埃などの塵埃が浸入することを防ぐことが可能となり、固定接点５５ａに塵埃が挟まり接点不良を引き起こすことを防止できる。
【実施例２】
【００２４】
また、他の実施例として、図５に示すように端子接続金具６ａは端子接続部６２ａの先端がフレーム５３まで延出して端子金具５５の反対側に直角に折り曲げて形成された遮蔽部６４ａを備える。端子接続金具６ａと端子金具５５を端子ネジ８１で螺着することで、遮蔽部６４ａの先端がフレーム５３の面５３ｂと面を合わせて当接するため電磁接触器５の内部への塵埃の浸入を確実に防ぐことができ、固定接点５５ａに塵埃が挟まり接点不良を引き起こすことを防止できる。
【００２５】
以上の構成により、端子接続金具６；６ａの端子接続部６２；６２ａの先端に接点用孔５６を覆う遮蔽部６４；６４ａを備えることにより、コストを掛けずに電磁接触器の接点を砂や埃などの塵埃から保護する構造を備えた空気調和機の室外機となる。
【符号の説明】
【００２６】
１：室外機、１０：筺体、２：熱交換器室、３：機械室
４：電装部品、４１：電装品箱、４３：端子台
５：電磁接触器、５１：電磁石部、５２：接点部、５３：フレーム、５４：リセットボタン、５５：端子金具、５５ａ：固定接点、５６：接点用孔
６・６ａ：端子接続金具、６１：第１ネジ孔、６２・６２ａ：端子接続部、６４・６４ａ：遮蔽部
【図１】
2015172457.tif 000003
【図２】
2015172457.tif 000004
【図３】
2015172457.tif 000005
【図４】
2015172457.tif 000006
【図５】
2015172457.tif 000007